(57)【要約】【課題】簡単な構成でスピーカーを内臓させると共に、シート形状を保持する。【解決手段】シート１０のシートバック１４の骨格を構成するシートバックフレーム１６の上側連結部２０における左右の脚部２０Ａのシート幅方向外側部にスピーカー支持ワイヤ３６が固定されている。また、スピーカー支持ワイヤ３６の上部３６Ａはシートバック１４の上端１４Ａの下方近傍に、長手方向をシート幅方向に沿って配置されており、スピーカー支持ワイヤ３６の側部３６Ｃはシートバック１４の側壁１４Ｃのシート幅方向内側近傍に、長手方向をシート上下方向に沿って配置されている。従って、スピーカー支持ワイヤ３６によって、スピーカーボックス３４をシートバックフレームに固定できると共にシートバック１４の上部のシート幅方向外側部１４Ｂのシート形状が保持されるようになっている。【選択図】図１
2008092989.tif 000002
【特許請求の範囲】
【請求項１】
乗員シートのシートバックの骨格を構成するシートバックフレームと、
前記シートバックフレームの上部外側部に設けられ、シート形状を保持すると共にスピーカー装置が配置される形状保持部と、
を有することを特徴とする車両用乗員シート。
【請求項２】
前記形状保持部は、シート形状を保持すると共に、前記シートバックフレームの上部外側部においてスピーカーボックスを前記シートバックフレームに固定する支持部材を有することを特徴とする請求項１に記載の車両用乗員シート。
【請求項３】
前記形状保持部は、前記シートバックフレームに固定されると共に、前記シートバックフレームの上部外側部においてシート形状を保持するためのスピーカーボックスを有することを特徴とする請求項１に記載の車両用乗員シート。
【発明の詳細な説明】
【技術分野】
【０００１】
本発明は車両用乗員シートに係り、特に、スピーカーを備えた車両用乗員シートに関する。
【背景技術】
【０００２】
従来から、スピーカーを備えた車両用乗員シートが知られている（例えば、特許文献１参照）。この技術では、クッション材の外周を表皮部材により包囲して構成したシートの所望位置の表皮部材に、スピーカーのスピーカーコーンの周囲に形成したフランジ部より小さい面積の透孔を形成し、フランジ部に設けた本体側係合部に透孔の表側の表皮部材に位置する止着部材の止着側係合部を係合させ、スピーカーは、フランジ部と止着部材により表皮部材を挟持して取付けている。
【特許文献１】特開２００４−９７６４５号公報
【発明の開示】
【発明が解決しようとする課題】
【０００３】
しかしながら、特許文献１の車両用乗員シートでは、通常の使用状態やシートバッグを倒す際にシート形状を保持するために、シートバックパッドや表皮に比べて剛性の高い補強部材をシートの外形に沿って設ける必要がある。この結果、シートの外形に沿って設ける補強部材とシートに内臓されるスピーカーとの関係からシート構造が複雑になる。
【０００４】
本発明は上記事実を考慮し、簡単な構成でスピーカーを内臓させることができると共に、シート形状を保持できる車両用乗員シートを提供することが目的である。
【課題を解決するための手段】
【０００５】
請求項１記載の本発明の車両用乗員シートは、乗員シートのシートバックの骨格を構成するシートバックフレームと、前記シートバックフレームの上部外側部に設けられ、シート形状を保持すると共にスピーカー装置が配置される形状保持部と、を有することを特徴とする。
【０００６】
乗員シートのシートバックの骨格を構成するシートバックフレームの上部外側部に設けられた形状保持部によって、シートバックの上部のシート形状が保持される。また、スピーカー装置をシートバックフレームの上部外側部に配置するための部材と、シートバックの上部のシート形状を保持するための部材との双方を設ける必要がないため、スピーカーをシートに内臓するための構成が簡単になる。
【０００７】
請求項２記載の本発明は請求項１記載の車両用乗員シートにおいて、前記形状保持部は、シート形状を保持すると共に、前記シートバックフレームの上部外側部においてスピーカーボックスを前記シートバックフレームに固定する支持部材を有することを特徴とする。
【０００８】
支持部材によりシート外形から近い位置でシート形状を保持することで、シート形状の保持と共に、乗員に剛性感を与えることができる。また、支持部材によりシートバックの上部外側部においてスピーカーボックスをシートバックフレームに固定することができ、スピーカーをシートに内臓するための構成が簡単になる。
【０００９】
請求項３記載の本発明は請求項１記載の車両用乗員シートにおいて、前記形状保持部は、前記シートバックフレームに固定されると共に、前記シートバックフレームの上部外側部においてシート形状を保持するためのスピーカーボックスを有することを特徴とする。
【００１０】
乗員シートのシートバックの骨格を構成するシートバックフレームに固定したスピーカーボックスによって、シートバックの上部外側部においてシート形状が保持される。この結果、シートバックの上部外側部においてシート形状を保持するための部材を別途設ける必要がないため、スピーカーをシートに内臓するための構成が簡単になる。また、スピーカーボックスによるシート形状出しのため、シート外形から近い位置でシート形状を保持して乗員に剛性感を与えることができると共に、１つのシートバックフレームで形状の異なるシートを形成することができ設計自由度が向上する。
【発明の効果】
【００１１】
請求項１記載の本発明は、簡単な構成でスピーカーを内臓させることができると共に、シート形状を保持できる。
【００１２】
請求項２記載の本発明は、簡単な構成でスピーカーを内臓させることができると共に、シート形状を保持できる。
【００１３】
請求項３記載の本発明は、簡単な構成でスピーカーを内臓させることができると共に、シート形状を保持できる。
【発明を実施するための最良の形態】
【００１４】
本発明における車両用乗員シートの第１実施形態を図１〜図３に従って説明する。
【００１５】
なお、図中矢印ＵＰはシート上方方向（車両上方方向）を示し、図中矢印ＦＲはシート前方方向（車両前方方向）を示し、図中矢印Ｗはシート幅方向を示している。
【００１６】
図３には、本発明の第１実施形態の車両用乗員シートが車両斜め前方から見た斜視図によって示されている。
【００１７】
図３に示される如く、本実施形態の車両用乗員シートは、右ハンドル車両（自動車）における運転者用のシート１０となっており、シート１０はシートクッション１２とシートバック１４とを備えている。
【００１８】
なお、シートクッション１２とシートバック１４の構成は周知であるため、詳細な説明は省略する。
【００１９】
図１には、本発明の第１実施形態の車両用乗員シートのシートバックの上部骨格が車両斜め前方から見た斜視図によって示されている。
【００２０】
図１に示される如く、シートバック１４の骨格を構成するシートバックフレーム１６は、左右一対の側壁部１８と、これらの側壁部１８の上端部１８Ａに架設された上側連結部２０を備えている。
【００２１】
左右一対の側壁部１８は、車両上下方向から見た断面形状がコ字状とされた板材で構成されており、左右一対の側壁部１８は、各断面開口部を互いに対向する側へ向けて配置されている。一方、上側連結部２０は、車両前後方向から見た形状が車両下方側に開口部を向けたコ字状に屈曲した断面円形のパイプ材で構成されており、長手方向両端部において車両上下方向に延びる左右の脚部２０Ａの下端２０Ｂが側壁部１８の上端部１８Ａに溶接等によって結合されている。
【００２２】
また、上側連結部２０における車幅方向に延びる中間部２０Ｃには、左右一対のヘッドレスト支持ブラケット２８が設けられており、これらのヘッドレスト支持ブラケット２８には、ヘッドレスト２４の左右のステー２４Ａの下部が挿し込まれている。このため、ヘッドレスト２４はシートバック１４の上端１４Ａに対して車両上下方向に沿って接離可能に支持されている。
【００２３】
シートバックフレーム１６の上部を構成する上側連結部２０の左右の脚部２０Ａにおけるシート幅方向外側部は形状保持部となっており、これらの形状保持部は左右一対のスピーカー装置３０と、支持部材としてのスピーカー支持ワイヤ３６を有している。また、スピーカー装置３０はスピーカー本体３２と、スピーカーボックス３４とを備えている。
【００２４】
スピーカーボックス３４は矩形箱状とされており、前壁部３４Ａにスピーカー本体３２が取付けられている。また、スピーカー支持ワイヤ３６は、シートバック１４の上部のシート幅方向外側部１４Ｂの外形形状に沿って屈曲されている。
【００２５】
より具体的に説明すると、スピーカー支持ワイヤ３６の上部３６Ａは、シートバック１４の上端１４Ａの下方近傍に、長手方向をシート幅方向に沿って配置されており、上部３６Ａのシート幅方向内側端部３６Ｂが、上側連結部２０の中間部２０Ｃにおけるシート幅方向両端部２０Ｄに溶接等によって結合されている。一方、スピーカー支持ワイヤ３６の上部３６Ａのシート幅方向外側端からは、側部３６Ｃがシート下方へ向かって延びており、側部３６Ｃは、シートバック１４の側壁１４Ｃのシート幅方向内側近傍に、長手方向をシート上下方向に沿って配置されている。また、側部３６Ｃの下端からはシート幅方向内側下方へ向かって傾斜部３６Ｄが延びている。さらに、傾斜部３６Ｄの下端からは下方へ向かって結合部３６Ｅが延びており、結合部３６Ｅはシートバックフレーム１６の側壁部１８に溶接等によって結合されている。
【００２６】
なお、スピーカー支持ワイヤ３６は鉄等の剛性の高い材質で構成されている。従って、シートバック１４の上部のシート幅方向外側部１４Ｂは、スピーカー支持ワイヤ３６によって補強されており、通常の使用状態やシートバッグを倒す際に、シート形状を保持できるようになっている。
【００２７】
図２には、図３の２−２断面線に沿った拡大断面図が示されている。
【００２８】
図２に示される如く、スピーカー支持ワイヤ３６の断面形状は丸形状となっている。また、スピーカーボックス３４のシート幅方向外側壁部３４Ｂの前後方向中間部には、半円形状の凹部４０がシート上下方向に沿って形成されており、この凹部４０において、スピーカーボックス３４はスピーカー支持ワイヤ３６の側部３６Ｃに嵌合によって固定されている。
【００２９】
従って、スピーカーボックス３４はスピーカー支持ワイヤ３６を介してシートバックフレーム１６に固定されている。
【００３０】
また、スピーカーボックス３４のシート幅方向内側壁部３４Ｃの前後方向中間部には、半円形状の凹部４２がシート上下方向に沿って形成されており、この凹部４２において、スピーカーボックス３４はシートバックフレーム１６の上側連結部２０の脚部２０Ａに嵌合によって固定されている。
【００３１】
なお、スピーカー本体３２はスピーカーボックス３４の前壁部３４Ａに形成された開口部４４に取付けられており、スピーカー本体３２はビス等の締結部材４６によって前壁部３４Ａに固定されている。また、スピーカーボックス３４は、シートバックパッド５０の内部に配置されており、シートバックパッド５０におけるスピーカー本体３２のシート前方側となる部位には、貫通孔５２が形成されている。また、シートバックパッド５０には、シート表皮５６が被されており、シート表皮５６におけるスピーカー本体３２のシート前方側となる部位には、小径の貫通孔６０が複数形成されている。
【００３２】
このため、スピーカー本体３２から発生する音はシートバックパッド５０の貫通孔５２と、シート表皮５６の貫通孔６０を通って、シートバック１４の外部に伝達されるようになっている。
【００３３】
次に、本実施形態の作用を説明する。
【００３４】
本実施形態では、シート１０のシートバック１４の骨格を構成するシートバックフレーム１６の上部を構成する上側連結部２０の左右の脚部２０Ａにおけるシート幅方向外側部が形状保持部となっており、これらの形状保持部は左右一対のスピーカー装置３０と、スピーカー支持ワイヤ３６を有している。また、スピーカー支持ワイヤ３６の上部３６Ａがシートバック１４の上端１４Ａの下方近傍に、長手方向をシート幅方向に沿って配置されており、スピーカー支持ワイヤ３６の側部３６Ｃがシートバック１４の側壁１４Ｃのシート幅方向内側近傍に、長手方向をシート上下方向に沿って配置されている。
【００３５】
この結果、スピーカー支持ワイヤ３６によって、シートバック１４の上部のシート幅方向外側部１４Ｂのシート形状が保持される。
【００３６】
また、スピーカー装置３０をシートバックフレーム１６に固定するための部材と、シートバック１４の上部のシート幅方向外側部１４Ｂにシート形状を保持するための部材との双方を設ける必要がない。即ち、スピーカー支持ワイヤ３６によって、シートバック１４の上部のシート幅方向外側部１４Ｂにシート形状を保持するための部材を別途設ける必要がない。このため、スピーカー装置３０をシート１０に内臓するための構成が簡単になる。
【００３７】
従って、本実施形態では、簡単な構成でシート１０にスピーカー装置３０を内臓させることができると共に、シート形状を保持できる。
【００３８】
なお、図４に示される如く、スピーカーボックス３４に取付部３４Ｄを設け、この取付部３４Ｄをビス等の締結部材６４によって、側壁部１８の上端部１８Ａに固定する構成としてもよい。
【００３９】
次に、本発明における車両用乗員シートの第２実施形態を図５及び図６に従って説明する。
【００４０】
なお、第１実施形態と同一部材に付いては、同一符号を付してその説明を省略する。
【００４１】
図５には、本発明の第２実施形態の車両用乗員シートの骨格が車両斜め前方から見た斜視図によって示されており、図６には、図２に対応する拡大断面図が示されている。
【００４２】
図５に示される如く、本実施形態では、シートバックフレーム１６の上部を構成する上側連結部２０の左右の脚部２０Ａのシート幅方向外側部が形状保持部となっており、これらの形状保持部は左右一対のスピーカー装置７０を有している。また、スピーカー装置７０はスピーカー本体７２と、スピーカーボックス７４とを備えている。
【００４３】
スピーカーボックス７４は箱状とされており、前壁部７４Ａの上部にスピーカー本体７２が取付けられている。また、スピーカーボックス７４の外形形状は、シートバック１４の上部のシート幅方向外側部１４Ｂの外形形状に沿った形状とされている。
【００４４】
より具体的に説明すると、スピーカーボックス７４の上壁部７４Ｂは、シートバック１４の上端１４Ａの下方近傍において、シートバック１４の上端１４Ａに沿って配置されており、スピーカーボックス７４のシート幅方向外側壁部７４Ｃは、シートバック１４の側壁１４Ｃのシート幅方向内側近傍において、シートバック１４の側壁１４Ｃに沿って配置されている。
【００４５】
図６に示される如く、スピーカーボックス７４の後壁部７４Ｄは、シートバック１４の後壁１４Ｄのシート前側近傍において、シートバック１４の後壁１４Ｄに沿って配置されており、スピーカーボックス７４の前壁部７４Ａは、シートバック１４の前壁１４Ｅのシート後側近傍において、シートバック１４の前壁１４Ｅに沿って配置されている。
【００４６】
なお、スピーカーボックス７４は樹脂等のシートバックパッド５０に比べて剛性の高い材質で構成されている。従って、シートバック１４の上部のシート幅方向外側部１４Ｂは、スピーカーボックス７４によって補強されており、通常の使用状態やシートバッグを倒す際に、シート形状を保持できるようになっている。
【００４７】
スピーカーボックス７４のシート幅方向内側壁部７４Ｅの前後方向中間部には、半円形状の凹部８２がシート上下方向に沿って形成されており、この凹部８２において、スピーカーボックス７４はシートバックフレーム１６の上側連結部２０の脚部２０Ａに嵌合によって固定されている。
【００４８】
なお、スピーカー本体７２はスピーカーボックス７４の前壁部７４Ａに形成された開口部８４に取付けられており、スピーカー本体７２はビス等の締結部材８６によって前壁部８４Ａに固定されている。また、スピーカーボックス７４は、シートバックパッド５０の内部に配置されており、シートバックパッド５０におけるスピーカー本体７２のシート前方側となる部位には、貫通孔５２が形成されている。また、シートバックパッド５０には、シート表皮５６が被されており、シート表皮５６におけるスピーカー本体７２のシート前方側となる部位には、小径の貫通孔６０が複数形成されている。
【００４９】
このため、スピーカー本体７２から発生する音はシートバックパッド５０の貫通孔５２と、シート表皮５６の貫通孔６０を通って、シートバック１４の外部に伝達されるようになっている。
【００５０】
次に、本実施形態の作用を説明する。
【００５１】
本実施形態では、シート１０のシートバック１４の骨格を構成するシートバックフレーム１６の上側連結部２０における左右の脚部２０Ａのシート幅方向外側部が形状保持部となっており、これらの形状保持部は左右一対のスピーカー装置７０を有している。また、スピーカー装置７０はスピーカー本体７２と、スピーカーボックス７４とを備えている。
【００５２】
また、スピーカー装置７０のスピーカーボックス７４におけるの上壁部７４Ｂがシートバック１４の上端１４Ａの下方近傍において、シートバック１４の上端１４Ａに沿って配置されており、スピーカーボックス７４のシート幅方向外側壁部７４Ｃがシートバック１４の側壁１４Ｃのシート幅方向内側近傍において、シートバック１４の側壁１４Ｃに沿って配置されている。さらに、スピーカーボックス７４の後壁部７４Ｄがシートバック１４の後壁１４Ｄのシート前側近傍において、シートバック１４の後壁１４Ｄに沿って配置されており、スピーカーボックス７４の前壁部７４Ａがシートバック１４の前壁１４Ｅのシート後側近傍において、シートバック１４の前壁１４Ｅに沿って配置されている。
【００５３】
この結果、スピーカー装置７０のスピーカーボックス７４によって、シートバック１４の上部のシート幅方向外側部１４Ｂのシート形状が保持される。
【００５４】
また、スピーカー装置７０をシートバックフレーム１６に固定するための部材と、シートバック１４の上部のシート幅方向外側部１４Ｂのシート形状を保持するための部材との双方を設ける必要がない。即ち、スピーカー装置７０のスピーカーボックス７４によって、シートバック１４の上部のシート幅方向外側部１４Ｂのシート形状を保持するための部材を別途設ける必要がない。このため、スピーカー装置７０をシート１０に内臓するための構成が簡単になる。
【００５５】
従って、本実施形態では、簡単な構成でシート１０にスピーカー装置７０を内臓させることができると共に、シート形状を保持できる。
【００５６】
さらに、本実施形態では、スピーカーボックス７４によるシート形状出しのため、即ち、スピーカーボックス７４によってシート形状を出しているため、シート外形から近い位置でシート形状を保持して乗員に剛性感を与えることができると共に、１つのシートバックフレーム１６で形状の異なるシート１０を形成することができ、設計自由度が向上する。
【００５７】
なお、図７に示される如く、スピーカーボックス７４に取付部７４Ｆを設け、この取付部７４Ｅをビス等の締結部材６４によって、側壁部１８の上端部１８Ａに固定する構成としてもよい。
【００５８】
以上に於いては、本発明を特定の実施形態について詳細に説明したが、本発明はかかる実施形態に限定されるものではなく、本発明の範囲内にて他の種々の実施形態が可能であることは当業者にとって明らかである。例えば、上記第１実施形態は、支持部材をスピーカー支持ワイヤ３６としたが、スピーカー支持ワイヤ３６に代えて板状のブラケット等の他の支持部材を使用した構成としてもよい。
【００５９】
また、上記第１実施形態では、図１に示される如く、シートバックフレーム１６の上側連結部２０のシート幅方向外側部が形状保持部となっており、これらの形状保持部が左右一対のスピーカー支持ワイヤ３６とスピーカー装置３０とを有する構成としたが、これに代えて、図８に示される如く、シートバックフレーム１６の上部外側部（上部の上方外側となる部位）を形状保持部とし、これらの形状保持部が左右一対のスピーカー支持ワイヤ３６とスピーカー装置３０とを有する構成としてもよい。また、図示を省略したが、シートバックフレーム１６の上部外側部を形状保持部とし、これらの形状保持部が左右一対のスピーカー装置７０を有する構成としてもよい。
【００６０】
また、上記第１実施形態のスピーカー支持ワイヤ３６および第２実施形態のスピーカーボックス７４の形状は、適用するシートバックの上部のシート幅方向外側部の形状に対応して他の形状としてもよい。
【００６１】
また、上記各実施形態ではスピーカー装置３０、７０をシートバックフレーム１６とスピーカー支持ワイヤ３６に嵌合させるか、又は、シートバックフレーム１６に締結させる構成としたが、これらに代えて、シートバックパッド５０にスピーカー装置３０、７０に対応する凹部を設けて、凹部内にスピーカー装置３０、７０を配置することで、スピーカー装置３０、７０を支持する構成としてもよい。
【００６２】
また、本発明の車両用乗員シートは、運転者用のシート１０に限定されず、助手席用のシートやリヤシートにも適用可能である。
【図面の簡単な説明】
【００６３】
【図１】本発明の第１実施形態の車両用乗員シートのシートバックの上部骨格を示すシート斜め前方から見た斜視図である。
【図２】図３の２−２断面線に沿った拡大断面図である。
【図３】本発明の第１実施形態の車両用乗員シートを示すシート斜め前方から見た斜視図である。
【図４】本発明の第１実施形態の変形例に係る車両用乗員シートのシートバックの上部骨格を示すシート斜め前方下側から見た斜視図である。
【図５】本発明の第２実施形態の車両用乗員シートのシートバックの上部骨格を示すシート斜め前方から見た斜視図である。
【図６】本発明の第２実施形態の車両用乗員シートの図２に対応する断面図である。
【図７】本発明の第２実施形態の変形例に係る車両用乗員シートのシートバックの上部骨格を示すシート斜め前方下側から見た斜視図である。
【図８】本発明の他の実施形態の車両用乗員シートのシートバックの上部骨格を示すシート斜め前方から見た斜視図である。
【符号の説明】
【００６４】
１０    シート（車両用乗員シート）
１２    シートクッション
１４    シートバック
１６    シートバックフレーム
１８    シートバックフレームの側壁部
２０    シートバックフレームの上側連結部
３０    スピーカー装置
３２    スピーカー本体
３４    スピーカーボックス
３６    スピーカー支持ワイヤ（支持部材）
７０    スピーカー装置
７２    スピーカー本体
７４    スピーカーボックス
【図１】
2008092989.tif 000003
【図２】
2008092989.tif 000004
【図３】
2008092989.tif 000005
【図４】
2008092989.tif 000006
【図５】
2008092989.tif 000007
【図６】
2008092989.tif 000008
【図７】
2008092989.tif 000009
【図８】
2008092989.tif 000010